(57)【要約】【課題】著作権を侵害することなく、各人の嗜好に合ったコンテンツをメンバ間で共有できるようにする。【解決手段】ポータルサーバ１２は、あるユーザＡ〜Ｃのアクションごとに他のユーザＡ〜Ｃのアクションを決定するルールＲ１を保持し、他のユーザＡ〜Ｃの録画または録画予約の状況に基づいて、同一コンテンツについての録画または録画予約を個人単位で映像録画・蓄積装置１１ａ〜１１ｃに命令したり、録画の必要性の有無の確認通知を端末１３ａ〜１３ｃに行ったりする。【選択図】      図１
2008294854.tif 000002
【特許請求の範囲】
【請求項１】
他のメンバの録画または録画予約の状況に基づいて、同一コンテンツについての録画、録画予約または録画の必要性の有無の確認通知を行うかどうかのルールを前記メンバの個人単位で登録するルール登録手段と、
前記メンバによる録画または録画予約が行われたかどうかを判定するルール処理手段と、
他のメンバによる録画または録画予約が行われた場合、前記ルールで指定されるメンバについての録画または録画予約を命令する録画命令手段と、
他のメンバによる録画または録画予約が行われた場合、前記ルールで指定されるメンバについての録画の必要性の有無の確認通知を行う録画必要有無確認手段とを備えることを特徴とする情報記録支援装置。
【請求項２】
前記ルール登録手段は前記コンテンツについての録画形式を個人単位で登録し、
前記録画命令手段は、前記ルールで指定されるメンバについての録画または録画予約が前記ルールに登録された録画形式で行われるように命令することを特徴とする請求項１記載の情報記録支援装置。
【請求項３】
前記メンバの録画履歴を収集する録画履歴収集手段を備え、
前記録画命令手段は、前記メンバの録画履歴から前記コンテンツに対する嗜好を個人単位で分析し、その分析結果に基づいて前記ルールで指定されるメンバについての録画または録画予約を命令するかどうかを決定することを特徴とする請求項１または２記載の情報記録支援装置。
【請求項４】
前記メンバについての録画を実行するデバイスの情報を収集するデバイス情報収集手段を備え、
前記録画命令手段は、前記デバイスの空き容量に基づいて録画方式を選択し、前記ルールで指定されるメンバについての録画または録画予約が前記録画方式で行われるように命令することを特徴とする請求項１から３のいずれか１項記載の情報記録支援装置。
【請求項５】
個人単位で指定されたコンテンツについての録画または録画予約命令を受信し、前記録画または録画予約命令を解釈する制御信号受信・解釈手段と、
前記録画または録画予約命令が行われたコンテンツの録画を個人単位で行う映像録画手段とを備えることを特徴とする情報記録装置。
【請求項６】
他のメンバの録画または録画予約の状況に基づいて、同一コンテンツについての録画または録画予約を個人単位で命令したり、録画の必要性の有無の確認通知を行ったりするポータルサーバと、
前記ポータルサーバからの録画または録画予約命令をホームネットワークに伝えるホームゲートウェイと、
前記ポータルサーバからの録画の必要性の有無の確認通知を受信したり、前記コンテンツについての録画または録画予約を前記ポータルサーバに指示したりする端末とを備えることを特徴とする情報記録システム。
【請求項７】
他のメンバの録画または録画予約の状況に基づいて、同一コンテンツについての録画、録画予約または録画の必要性の有無の確認通知を行うかどうかのルールを前記メンバの個人単位でポータルサーバ上に登録するステップと、
前記ルールに基づいて、前記ポータルサーバからの録画または録画予約命令をホームゲートウェイを介してホームネットワークに伝えるステップと、
前記ルールに基づいて、前記ポータルサーバからの録画の必要性の有無の確認通知を端末に行うステップと、
前記コンテンツについての録画または録画予約を前記端末から前記ポータルサーバに指示するステップとを備えることを特徴とする情報記録方法。
【発明の詳細な説明】
【技術分野】
【０００１】
本発明は情報記録支援装置、情報記録装置、情報記録システムおよび情報記録方法に関し、特に、同一内容の画像や映像などをメンバ間で共有する方法に適用して好適なものである。
【背景技術】
【０００２】
近年のインターネットの普及に伴って、ＦＴＴＨ（Ｆｉｂｅｒ  Ｔｏ  Ｔｈｅ  Ｈｏｍｅ）やＡＤＳＬ（Ａｓｓｙｍｍｅｔｒｉｃ  Ｄｉｇｉｔａｌ  Ｓｕｂｓｃｒｉｂｅｒ  Ｌｉｎｅ）などの高速通信環境が一般家庭にも整えられつつある。また、固定通信分野だけでなく、移動体通信の分野でも第３世代携帯電話の普及に伴って高速で通信することができるようになっている。
このような高速通信インフラ環境の整備に加え、ＪＰＥＧ（Ｊｏｉｎｔ  Ｐｈｏｔｏｇｒａｐｈｉｃ  Ｅｘｐｅｒｔｓ  Ｇｒｏｕｐ）に代表される静止画圧縮技術、ＭＰＥＧ（Ｍｏｖｉｎｇ  Ｐｉｃｔｕｒｅ  Ｅｘｐｅｒｔ  Ｇｒｏｕｐ）に代表される動画圧縮技術などのデジタル信号圧縮技術の進歩により、テキストデータばかりでなく、画像・音声・映像などのデータ容量の大きなコンテンツもネットワークを介して流通させることができるようになっている。
【０００３】
また、家庭に設置されたパーソナルコンピュータやビデオディスクレコーダなどの家電をネットワークを介して接続し、家電同士を連携させることができるホームネットワークサービスが注目され、家電間を連携させるための規格としてＤＬＮＡ（Ｄｉｇｉｔａｌ  Ｌｉｖｉｎｇ  Ｎｅｔｗｏｒｋ  Ａｌｌｉａｎｃｅ）やＥｃｈｏｎｅｔなどの標準化も進められている。
このような背景において、ホームネットワークをインターネットに接続し、屋外から遠隔で家電を操作したり、ホームネットワークに蓄積されている映像データを遠隔視聴したり、遠隔でテレビ番組を録画したりできるサービスが登場している。
【０００４】
また、例えば、特許文献１では、第１の情報記録装置に、録画予約の設定を要求する旨の録画予約情報を有するグループ録画予約指示情報を取得するネットワークインターフェースと、このネットワークインターフェースにて取得したグループ録画予約指示情報の録画予約情報に基づいて録画予約の設定をする録画手段と、録画予約情報と同様の情報をネットワークを介して第２の情報記録装置や第３の情報記録装置に配信するグループ録画予約通知生成手段とを備える方法が開示されている。
【０００５】
また、特許文献２では、記録再生装置は、ユーザから録画情報が入力されると、その録画情報を録画情報データベースに登録すると共に共有サーバへ送信し、共有サーバは、記録再生装置から受信した録画情報を共有録画情報データベースへ登録すると共に、録画情報を共有するよう接続された他の記録再生装置に対して録画情報を送信し、この他の記録再生装置は、共有サーバから送信された録画情報を録画情報データベースに登録することで、複数の記録再生装置において、同じ録画情報に基づき、同じ番組の録画を行うことができるようにした方法が開示されている。
【０００６】
また、特許文献３では、著作権対応したコピーワンスのコンテンツを録画予約する際、必要とするコンテンツの個数をＧＵＩ上で指定し、複数の機器で同一コンテンツを録画し、複数の機器で同一のコンテンツを所有できるようにする方法が開示されている。
また、特許文献４では、通信回線への接続機能を有し、ビデオ録画予約情報受信装置と情報の送受信を行う通信手段と、テレビジョン放送番組のビデオ録画予約情報を保持する予約情報保持手段と、ビデオ録画予約情報を送信する制御手段とを備えるビデオ録画予約情報送信装置と、この通信回線への接続機能を有し、このビデオ録画予約情報送信装置からビデオ録画予約情報を受信して、この予約情報保持手段に保持し、当該ビデオ録画予約情報に基づき、テレビジョン放送番組を録画する制御手段とを備えるビデオ録画予約情報受信装置とを設ける方法が開示されている。
【特許文献１】特開２００５−３９４２３号公報
【特許文献２】特開２００５−１１００４７号公報
【特許文献３】特開２００５−２４４５７６号公報
【特許文献４】特開２００４−３６４１８６号公報
【発明の開示】
【発明が解決しようとする課題】
【０００７】
しかしながら、従来のホームネットワークサービスでは、ホームネットワークに蓄積されている映像を友人などに視聴できるようにさせたり、友人などと映像の交換や共有を行えるようにすると、著作権を侵害するという問題があった。一方、テレビ番組などのコンテンツは、友人間で話題に上る機会が多く、話題に上った番組を自分も見たいという要望がある。
【０００８】
また、特許文献１から４に開示された方法では、友人に是非視聴してもらいたいテレビ番組を見つけたとすると、友人が当該テレビ番組を録画予約していない場合においても、友人の情報記録装置で当該テレビ番組を録画できるようにすることはできるが、このような処理は予め固定的に決められたルールに則って実行されるため、情報記録装置の状態やユーザの嗜好などを考慮しながら最適な録画方式や番組を選択することができない。このため、友人の情報記録装置で当該テレビ番組を録画できるようにサーバから指示された場合においても、その友人の情報記録装置の記憶容量が不足するために当該テレビ番組を録画できなかったり、自分の嗜好に合わない番組が録画されたりするという問題があった。
そこで、本発明の目的は、著作権を侵害することなく、各人の嗜好に合ったコンテンツをメンバ間で共有できるようにすることが可能な情報記録支援装置、情報記録装置、情報記録システムおよび情報記録方法を提供することである。
【課題を解決するための手段】
【０００９】
上述した課題を解決するために、請求項１記載の情報記録支援装置によれば、他のメンバの録画または録画予約の状況に基づいて、同一コンテンツについての録画、録画予約または録画の必要性の有無の確認通知を行うかどうかのルールを前記メンバの個人単位で登録するルール登録手段と、前記メンバによる録画または録画予約が行われたかどうかを判定するルール処理手段と、他のメンバによる録画または録画予約が行われた場合、前記ルールで指定されるメンバについての録画または録画予約を命令する録画命令手段と、他のメンバによる録画または録画予約が行われた場合、前記ルールで指定されるメンバについての録画の必要性の有無の確認通知を行う録画必要有無確認手段とを備えることを特徴とする。
【００１０】
また、請求項２記載の情報記録支援装置によれば、前記ルール登録手段は前記コンテンツについての録画形式を個人単位で登録し、前記録画命令手段は、前記ルールで指定されるメンバについての録画または録画予約が前記ルールに登録された録画形式で行われるように命令することを特徴とする。
また、請求項３記載の情報記録支援装置によれば、前記メンバの録画履歴を収集する録画履歴収集手段を備え、前記録画命令手段は、前記メンバの録画履歴から前記コンテンツに対する嗜好を個人単位で分析し、その分析結果に基づいて前記ルールで指定されるメンバについての録画または録画予約を命令するかどうかを決定することを特徴とする。
【００１１】
また、請求項４記載の情報記録支援装置によれば、前記メンバについての録画を実行するデバイスの情報を収集するデバイス情報収集手段を備え、前記録画命令手段は、前記デバイスの空き容量に基づいて録画方式を選択し、前記ルールで指定されるメンバについての録画または録画予約が前記録画方式で行われるように命令することを特徴とする。
また、請求項５記載の情報記録装置によれば、個人単位で指定されたコンテンツについての録画または録画予約命令を受信し、前記録画または録画予約命令を解釈する制御信号受信・解釈手段と、前記録画または録画予約命令が行われたコンテンツの録画を個人単位で行う映像録画手段とを備えることを特徴とする。
【００１２】
また、請求項６記載の情報記録システムによれば、他のメンバの録画または録画予約の状況に基づいて、同一コンテンツについての録画または録画予約を個人単位で命令したり、録画の必要性の有無の確認通知を行ったりするポータルサーバと、前記ポータルサーバからの録画または録画予約命令をホームネットワークに伝えるホームゲートウェイと、前記ポータルサーバからの録画の必要性の有無の確認通知を受信したり、前記コンテンツについての録画または録画予約を前記ポータルサーバに指示したりする端末とを備えることを特徴とする。
【００１３】
また、請求項７記載の情報記録方法によれば、他のメンバの録画または録画予約の状況に基づいて、同一コンテンツについての録画、録画予約または録画の必要性の有無の確認通知を行うかどうかのルールを前記メンバの個人単位でポータルサーバ上に登録するステップと、前記ルールに基づいて、前記ポータルサーバからの録画または録画予約命令をホームゲートウェイを介してホームネットワークに伝えるステップと、前記ルールに基づいて、前記ポータルサーバからの録画の必要性の有無の確認通知を端末に行うステップと、前記コンテンツについての録画または録画予約を前記端末から前記ポータルサーバに指示するステップとを備えることを特徴とする。
【発明の効果】
【００１４】
以上説明したように、本発明によれば、他のメンバによる録画または録画予約が行われた場合、その同一コンテンツについての録画または録画予約をそのメンバの個人単位で命令することができる。このため、自分の嗜好に合った番組や自分に合った録画形式などを指定しつつ、自分が録画予約していない番組を自分の情報記録装置で録画させることが可能となることから、著作権を侵害することなく、各人の嗜好に合ったコンテンツをメンバ間で共有できるようにすることが可能となる。
【発明を実施するための最良の形態】
【００１５】
以下、本発明の実施形態に係る情報記録支援装置について図面を参照しながら説明する。
図１は、本発明の一実施形態に係る情報記録支援装置が適用される情報記録システムの概略構成を示すブロック図である。
図１において、情報記録システムには、映像録画・蓄積装置１１ａ〜１１ｃ、ポータルサーバ１２および端末１３ａ〜１３ｃが設けられ、ポータルサーバ１２はネットワークを介して映像録画・蓄積装置１１ａ〜１１ｃおよび端末１３ａ〜１３ｃと通信を確立することができる。
【００１６】
そして、映像録画・蓄積装置１１ａ〜１１ｃは、ポータルサーバ１２からの命令に従って映像の録画や録画予約を行ったり、録画した映像を蓄積したりすることができ、各ユーザＡ〜Ｃごとに設けることができる。
ここで、映像録画・蓄積装置１１ａ〜１１ｃには、映像録画手段２１ａ〜２１ｃおよび制御信号受信・解釈手段２２ａ〜２２ｃが設けられている。そして、制御信号受信・解釈手段２２ａ〜２２ｃは、ポータルサーバ１２にて個人単位で指定されたコンテンツについての録画または録画予約命令を受信し、ポータルサーバ１２から送られた録画または録画予約命令を解釈することができる。映像録画手段２１ａ〜２１ｃは、ポータルサーバ１２から録画または録画予約命令が行われたコンテンツの録画を個人単位で行うことができる。
【００１７】
また、ポータルサーバ１２は、他のユーザＡ〜Ｃの録画または録画予約の状況に基づいて、同一コンテンツについての録画または録画予約を個人単位で映像録画・蓄積装置１１ａ〜１１ｃに命令したり、録画の必要性の有無の確認通知を端末１３ａ〜１３ｃに行ったりすることができる。また、ユーザＡ〜Ｃの過去の視聴履歴や他のユーザＡ〜Ｃの視聴履歴などの情報も端末１３ａ〜１３ｃに通知することができる。また、ポータルサーバ１２は、あるユーザＡ〜Ｃのアクションごとに他のユーザＡ〜Ｃのアクションを決定するルールＲ１を保持することができる。
【００１８】
例えば、他のユーザＡ〜Ｃが遠隔録画した場合、ユーザＡについては映像録画・蓄積装置１１ａに録画命令が出され、ユーザＢについては端末１３ｂに録画の必要性の有無の確認通知が行われ、ユーザＣについては映像録画・蓄積装置１１ｃに録画命令が出された上で、端末１３ｃに録画の必要性の有無の確認通知が行われるように、ルールＲ１に登録することができる。
ここで、ポータルサーバ１２には、録画命令手段２３、録画必要有無確認手段２４、ルール登録手段２５、ルール処理手段２６および録画履歴収集手段２７が設けられている。
【００１９】
そして、ルール登録手段２５は、他のユーザＡ〜Ｃの録画または録画予約の状況に基づいて、同一コンテンツについての録画、録画予約または録画の必要性の有無の確認通知を行うかどうかのルールＲ１を個人単位で登録することができる。ルール処理手段２６は、ユーザＡ〜Ｃによる録画または録画予約が行われたかどうかを判定することができる。録画命令手段２３は、他のユーザＡ〜Ｃによる録画または録画予約が行われた場合、ルールＲ１で指定されるユーザＡ〜Ｃについての録画または録画予約を映像録画・蓄積装置１１ｃに命令することができる。録画必要有無確認手段２４は、他のユーザＡ〜Ｃによる録画または録画予約が行われた場合、ルールＲ１で指定されるユーザＡ〜Ｃについての録画の必要性の有無の確認通知を端末１３ａ〜１３ｃに行うことができる。録画履歴収集手段２７は、ユーザＡ〜Ｃの録画履歴を収集することができる。デバイス情報収集手段２８は、映像録画・蓄積装置１１ｃにおける容量の空き状態やロケーションなどの情報を収集することができる。
【００２０】
また、端末１３ａ〜１３ｃは、インターネットや通信キャリアネットワークにアクセスする機能、ユーザＡ〜Ｃとのインターフェースとなるブラウザなどの機能を持つことができ、各ユーザＡ〜Ｃごとに設けることができる。
そして、ルール登録手段２５は、他のユーザＡ〜Ｃの録画または録画予約の状況に基づいて、同一コンテンツについての録画、録画予約または録画の必要性の有無の確認通知を行うかどうかのルールＲ１をポータルサーバ１２上に登録する。そして、ルール処理手段２５は、他のユーザＡ〜Ｃによる録画または録画予約が行われたかどうかを判定し、他のユーザＡ〜Ｃによる録画または録画予約が行われた場合、録画命令手段２３は、ルールＲ１で指定されるユーザＡ〜Ｃについての録画または録画予約を映像録画・蓄積装置１１ａ〜１１ｃに命令する。
【００２１】
また、他のユーザＡ〜Ｃによる録画または録画予約が行われた場合、録画必要有無確認手段２４は、ルールＲ１で指定されるユーザＡ〜Ｃについての録画の必要性の有無の確認通知を端末１３ａ〜１３ｃに行う。そして、端末１３ａ〜１３ｃは、録画の必要性の有無の確認通知を受け取ると、その確認通知を端末１３ａ〜１３ｃ上に表示することができる。そして、ユーザＡ〜Ｃは、ポータルサーバ１２から通知されたコンテンツについて録画の必要性が有ると判断すると、そのコンテンツについての録画または録画予約を行うように端末１３ａ〜１３ｃを介してポータルサーバ１２に指示することができる。そして、ポータルサーバ１２は、そのコンテンツについての録画または録画予約を行うように端末１３ａ〜１３ｃから指示されると、そのユーザＡ〜Ｃについての録画または録画予約を行うように映像録画・蓄積装置１１ａ〜１１ｃに命令する。
【００２２】
また、ルール登録手段２５は、コンテンツについての録画形式を個人単位でルールＲ１に登録し、録画命令手段２３は、ルールＲ１で指定されるユーザＡ〜Ｃについての録画または録画予約がルールＲ１に登録された録画形式で行われるように命令することができる。例えば、１台の映像録画・蓄積装置１１ａを家族で共有しているものとすると、各個人に最適な録画方法で番組の録画を行うことができる。また、録画されたコンテンツに個人の識別子を付与することができ、個人を特定することでそのコンテンツを容易に検索することができる。
【００２３】
具体的には、ポータルサーバ１２は、ユーザＡが耳に障害を持っているならば、字幕モードで録画するように映像録画・蓄積装置１１ａに命令したり、ユーザＡが目に障害を持っているならば、ナレーションモードで録画するように映像録画・蓄積装置１１ａに命令したり、ユーザＡが英語に堪能ならば、英語モードで録画するように映像録画・蓄積装置１１ａに命令したりすることができる。
【００２４】
また、録画履歴収集手段２７はユーザＡ〜Ｃの録画履歴を収集し、録画命令手段２３は、ユーザＡ〜Ｃの録画履歴からコンテンツに対する嗜好を個人単位で分析し、その分析結果に基づいてルールＲ１で指定されるユーザＡ〜Ｃについての録画または録画予約を命令するかどうかを決定することができる。例えば、ユーザＡは時代劇に興味があり、ユーザＣは時代劇に興味がない場合、録画命令手段２３は、ユーザＡについて時代劇の番組の録画または録画予約が行われた場合においても、その時代劇の番組についてはユーザＣに対して録画または録画予約が行われないようにすることができる。あるいは、録画必要有無確認手段２４は、ユーザＡについて時代劇の番組の録画または録画予約が行われた場合、その時代劇の番組について録画の必要性が有るかどうかの確認通知を端末１３ｃに行い、ユーザＣに問い合わせることができる。そして、ユーザＣが、その時代劇の番組について録画または録画予約を行うように端末１３ｃを介してポータルサーバ１２に指示された場合に、そのユーザＣについての録画または録画予約を行うように映像録画・蓄積装置１１ｃに命令することができる。
【００２５】
また、デバイス情報収集手段２８は、映像録画・蓄積装置１１ａ〜１１ｃにおける容量の空き状態の情報を収集し、録画命令手段２３は、映像録画・蓄積装置１１ａ〜１１ｃの空き容量に基づいて録画方式を選択し、ルールＲ１で指定されるユーザＡ〜Ｃについての録画または録画予約がその録画方式で行われるように命令することができる。例えば、ユーザＡについての番組の録画または録画予約が行われた場合、デバイス情報収集手段２８は、映像録画・蓄積装置１１ａにおける空き容量を判定し、映像録画・蓄積装置１１ａにおける空き容量が少ない場合には、録画命令手段２３は、その番組が全て録画できるように画質を落としてユーザＣに対して録画または録画予約が行われるように映像録画・蓄積装置１１ｃに命令することができる。
【００２６】
また、デバイス情報収集手段２８は、映像録画・蓄積装置１１ａ〜１１ｃにおけるロケーションの情報を収集し、地域間のチャンネルの違いを吸収しながら、ルールＲ１で指定されるユーザＡ〜Ｃについての録画または録画予約が行われるように映像録画・蓄積装置１１ａ〜１１ｃに命令することができる。
また、映像録画・蓄積装置１１ａ〜１１ｃに対して番組の録画または録画予約が行われるように指示する場合、ポータルサーバ１２は、複数の番組の録画または録画予約が同一の時間帯に同一の映像録画・蓄積装置１１ａ〜１１ｃに指示されるかどうかを判断する。そして、番組の録画または録画予約が競合する場合、録画または録画予約の優先順位付けを行い、その優先順位に基づいて番組の録画または録画予約が行われるように映像録画・蓄積装置１１ａ〜１１ｃに指示することができる。
【００２７】
これにより、他のユーザＡ〜Ｃによる録画または録画予約が行われた場合、その同一コンテンツについての録画または録画予約を個人単位で映像録画・蓄積装置１１ａ〜１１ｃに命令することができる。このため、自分の嗜好に合った番組や自分に合った録画形式などを指定しつつ、自分が録画予約していない番組を自分の映像録画・蓄積装置１１ａ〜１１ｃで録画させることが可能となることから、著作権を侵害することなく、各人の嗜好に合ったコンテンツをユーザＡ〜Ｃ間で共有できるようにすることが可能となる。
【００２８】
図２は、図１の情報記録システムにおける処理の流れの一例を示すブロック図である。
図２において、情報家電３１ａ〜３１ｃには、図１の映像録画・蓄積装置１１ａ〜１１ｃがそれぞれ搭載され、情報家電３１ａ〜３１ｃはホームゲートウェイ３２ａ〜３２ｃを介してポータルサーバ１２に接続されている。
ここで、情報家電３１ａ〜３１ｃは、家庭電化製品がネットワーク機器と接続され、家庭電化製品間で連携したり、屋外から操作することができるものの総称である。なお、家庭電化製品とは、例えば、テレビ、ビデオ、電子レンジ、冷蔵庫、洗濯機、照明器具などを言う。そして、ここで言う情報家電３１ａ〜３１ｃとは、テレビ番組などのコンテンツを録画することが可能なハードディスクドライブを持ったビデオやパーソナルコンピュータである。また、情報家電３１ａ〜３１ｃは、ホームネットワーク内において、汎用的なプロトコルであるＤＬＮＡやＥｃｈｏｎｅｔなどを利用して、他の情報機器と通信することができる。
【００２９】
また、ホームゲートウェイ３２ａ〜３２ｃは、ホームネットワークにおけるインターネットへの入口となる装置である。このホームゲートウェイ３２ａ〜３２ｃでは、ホームネットワークとインターネット側のプロトコルの違いを吸収したり、セキュアな通信の確立や映像コンテンツのビットレートや圧縮フォーマットの変換などを行うことができる。
【００３０】
なお、ホームゲートウェイ３２ａ〜３２ｃには、以下の機能を搭載することができる。
・ＨＧＷ登録：ポータルサーバ１２に対してＨＧＷユーザ登録（認証）を行う。認証はＩＤ／ＰＷ（パスワード）によって実施する。
・プロトコル変換：ＤＬＮＡなどの汎用ネットワークプロトコルとホームゲートウェイ３２ａ〜３２ｃ−ポータルサーバ１２間のプロトコルの相互変換を行う。
・ＤＭＰ／Ｓ：遠隔視聴やポータルサービスに必要なＤＭＰ／Ｓ機能（ＤＬＮＡなどの汎用ネットワークやポータルサーバ１２とのネゴシエーションに必要な機能）
・ＶＰＮ終端：ホームゲートウェイ３２ａ〜３２ｃとポータルサーバ１２との間でＶＰＮトンネルなどのセキュアな通信を確立する。
【００３１】
・リアルタイムトランスコード：ポータルサーバ１２からユーザ視聴のアクセスを受けると、ＤＬＮＡなどの汎用ネットワーク上のＤＭＳから指定されたコンテンツ（映像、音楽、静止画など）のインポートを行い、リアルタイムにトランスコードを行い、コンテンツ配信する。また、映像、音楽、静止画などのコンテンツに対し、ポータルサーバ１２からの指示に基づいてクライアント種別を判別し、各クライアント種別に適したトランスコードを実施する。また、映像のコンテンツに対し、ポータルサーバ１２からの指示に基づいて、映像に音が含まれているか、音のみかどうかを判別し、各種別に適したトランスコードを実施する（音のみの場合は、音質の向上を実現する）。また、各トランスコードを実施する時には、３種類程度のユーザ設定を行うことができ、ユーザ設定に応じたトランスコードを実施することができる。
【００３２】
・クライアント識別：ポータルサーバ１２からユーザ視聴のアクセスを受けると、ポータルサーバ１２から指定されたブラウザタイプ（クライアント）を識別する。
・コンテンツ視聴状況の通知：コンテンツの配信を完了すると、ポータルサーバ１２に配信記録を送付する（視聴途中のステータスについてはプレイヤー側で状態を把握し、ポータルサーバ１２で状態管理（どこから途中再生するか）を行う）。（配信完了例：８３２２Ｋｂｙｔｅ／８３２２Ｋｂｙｔｅまたは２４０ｓ／２４０ｓ）また、ポータルサーバ１２からの指示に従って、指定されたバイト数またはタイムスタンプからコンテンツを配信することができる。
・ＤＬＮＡ接続機器の情報管理：同一セグメント内におけるＤＬＮＡなどの接続機器の接続状態を把握し、ホームゲートウェイ３２ａ〜３２ｃで管理されるポータル情報に反映させる。
【００３３】
・コンテンツメタ情報管理：同一セグメント内におけるＤＬＮＡなどの接続機器に格納されているコンテンツメタ情報を収集し、ホームゲートウェイ３２ａ〜３２ｃで管理されるポータル情報に反映させる。なお、その際には、携帯電話プレーヤーで視聴可能な形式およびトランスコーデック可能なコンテンツのみをポータル情報に反映させる。
・コンテンツアクセス制御：ユーザＡ〜Ｃにてアクセス権が設定されたコンテンツまたはフォルダに対し、アクセス可否の制御を行う。アクセス制御の実現方法は、ポータル上のコンテンツリストで非表示とする（なお、コンテンツリストで非表示とするメタデータの実処理についてはポータルサーバ１２またはホームゲートウェイ３２ａ〜３２ｃのどちらで実施してもよい。）
・各種設定ＧＵＩ：ホームゲートウェイ３２ａ〜３２ｃの認証鍵、セキュアパス設定パラメータ、コンテンツごとのアクセス制限の設定、ポータル情報の更新時間などの各種設定画面を設ける。
【００３４】
・ポータル情報：ホームゲートウェイ３２ａ〜３２ｃで管理されるポータル情報は、ホームゲートウェイ３２ａ〜３２ｃにアクセス可能なユーザに特化しないホームネットワーク共通情報である。ポータル情報の主な情報要素列は以下の通りである。
・コンテンツ番号
・ファイル名
・コンテンツＵＲＬ
・コンテンツジャンル
・録画（コンテンツ生成）日時
・再生時間
・コンテンツアクセス権限情報
また、ポータルサーバ１２は、複数のユーザＡ〜Ｃのホームゲートウェイ３２ａ〜３２ｃと接続され、端末１３ａ〜１３ｃに対してはホームネットワークの情報家電３１ａ〜３１ｃが保持する情報を提供することができる。
【００３５】
なお、ポータルサーバ１２には、以下の機能を搭載することができる。
・ＷＥＢサーバ：端末１３ａ〜１３ｃからの要求に対してユーザＡ〜Ｃ専用のポータルページを表示する。ポータルページ表示に関しては、ホームゲートウェイ３２ａ〜３２ｃにアクセスし、コンテンツを表示できるようにする。ポータル表示に対しては、コンテンツメタ情報、端末１３ａ〜１３ｃの能力、ユーザＡ〜Ｃやグループの設定やアクセスログ状況などのユーザ状況に応じたカスタマイズができる。また、ポータルサーバ１２において、キーワード検索機能を提供する。
【００３６】
・ユーザプロファイル管理：ユーザ情報およびグループ情報を管理する。ユーザ情報およびグループ情報は、サービスオーダにて管理者が登録できるようにする。グループ定義例を以下に示す。
・家族グループ：ホームゲートウェイ３２ａ〜３２ｃにアクセス可能なユーザ集合体
・コミュニティグループ：お勧め番組などをメンバ間で通知できるグループ
・端末認証：端末１３ａ〜１３ｃからのアクセスに対してユーザの認証を行う。
・ＨＧＷ認証：ホームゲートウェイ３２ａ〜３２ｃからのアクセスに対して利用ユーザの認証を行う。認証はＩＤ／ＰＷにて実施する。
【００３７】
・端末とＨＧＷのペアリング：端末１３ａ〜１３ｃとホームゲートウェイ３２ａ〜３２ｃとの関連性を保持する。端末１３ａ〜１３ｃおよびホームゲートウェイ３２ａ〜３２ｃの認証を踏まえて、端末１３ａ〜１３ｃおよびホームゲートウェイ３２ａ〜３２ｃの括り付けを行うことで、端末１３ａ〜１３ｃからの遠隔視聴時にホームゲートウェイ３２ａ〜３２ｃへのルーチングができるようにする。
・ＨＧＷアクセス制御：ホームゲートウェイ３２ａ〜３２ｃに同時にアクセスできるユーザＡ〜Ｃを制限する。あるユーザＡ〜Ｃがホームゲートウェイ３２ａ〜３２ｃにアクセスしている状態で、他のユーザＡ〜Ｃがホームゲートウェイ３２ａ〜３２ｃにアクセスした場合、エラー画面を表示する応答を行うとともに、ホームゲートウェイ３２ａ〜３２ｃにアクセスしているユーザＡ〜Ｃが接続を開放した時点で、ホームゲートウェイ３２ａ〜３２ｃの接続が開放されたことを通知する。
【００３８】
・プロトコル変換：端末１３ａ〜１３ｃからのアクセスを終端する。ホームゲートウェイ３２ａ〜３２ｃに対して情報取得時にプロトコル変換を行う。
・ＶＰＮ終端（ＨＧＷ間）：ホームゲートウェイ３２ａ〜３２ｃとポータルサーバ１２との間でＶＰＮ（Ｖｉｒｔｕａｌ  Ｐｒｉｖａｔｅ  Ｎｅｔｗｏｒｋ）を確立する。
・ＶＰＮ終端（端末間）：端末１３ａ〜１３ｃからのアクセスに対して、ＳＳＬ（Ｓｅｃｕｒｅ  Ｓｏｃｋｅｔ  Ｌａｙｅｒ）などによってセキュアパスを確立する。
【００３９】
・アクセスログ管理／分析：ポータルアクセス状況、遠隔視聴、遠隔録画に関する利用状況やログをユーザごと、グループ単位および全ユーザについて取得し、ユーザの利用動向を分析できるようにする。また、ユーザの圏外移動などによって回線が切断された場合、次回のポータルアクセス時に回線の切断直前の表示画面からユーザに表示できるように画面遷移状態についても状態管理を行う。
・ＤＨＣＰ（Ｄｙｎａｍｉｃ  Ｈｏｓｔ  Ｃｏｎｆｉｇｕｒａｔｉｏｎ  Ｐｒｏｔｏｃｏｌ）：ホームゲートウェイ３２ａ〜３２ｃに対してプライベートアドレス（リモートＩＰ）の割り当てを行う。
【００４０】
・ＥＰＧ情報保持／番組表表示：ＥＰＧ（Ｅｌｅｃｔｒｉｃ  Ｐｒｏｇｒａｍ  Ｇｕｉｄｅ：電子番組表）情報を保持する。ＥＰＧ情報を最新情報に更新することができる。また、ＥＰＧ情報の保持情報からＧモバイル相当のＵＩを具備した番組表表示を行う。
・メールサーバ：遠隔録画予約を行った場合、お勧め番組としてコミュニティグループのメンバにメールにて通知する。
・遠隔視聴：ポータルサーバ１２を通して端末１３ａ〜１３ｃからの要求に対してホームゲートウェイ３２ａ〜３２ｃにアクセスし、遠隔視聴ができるようにする。
・遠隔録画：ポータルサーバ１２を通して端末１３ａ〜１３ｃからの要求に対してホームゲートウェイ３２ａ〜３２ｃにアクセスし、遠隔録画ができるようにする。なお、遠隔録画は、ポータルサーバ１２のＥＰＧからワンクリックで実現することができる。
【００４１】
そして、グループメンバのそれぞれのアクションごとに他のグループメンバへのアクションルールを決定し、ポータルサーバ１２に登録する（Ｐ１）。例えば、ルールＲ１では、グループメンバとしてユーザＡ〜Ｃが選択され、アクションルールとして、あるユーザＡ〜Ｃが録画または録画予約を行った場合、他のユーザＡ〜Ｃについて録画または録画予約を自動で行わせるか、あるユーザＡ〜Ｃが録画または録画予約を行ったことを他のユーザＡ〜Ｃにメールなどにて通知するということが決められている。
【００４２】
そして、例えば、ユーザＣが端末１３ｃを介してポータルサーバ１２にアクセスし（Ｐ２）、コンテンツＴの録画または録画予約を情報家電３１ｃ上で行うと（Ｐ３）、ポータルサーバ１２は、ユーザＣにてコンテンツＴの録画または録画予約が行われたことを把握する。そして、ポータルサーバ１２は、ユーザＣにてコンテンツＴの録画または録画予約が行われると、ルールＲ１を参照することにより、他のユーザＡ、Ｂについての処理を決定する。
【００４３】
すなわち、ルールＲ１において、ユーザＢに対しては、他のユーザＣがコンテンツＴの録画または録画予約を行うと、そのコンテンツＴの録画または録画予約を自動で行わせることが決められている。このため、ポータルサーバ１２は、ホームゲートウェイ３２ｂを介して情報家電３１ｃにアクセスし、コンテンツＴの録画または録画予約を行うように情報家電３１ｂに命令する（Ｐ４）。
また、ルールＲ１において、ユーザＡに対しては、他のユーザＣがコンテンツＴの録画または録画予約を行うと、そのことをユーザＡにメールなどにて通知するということが決められている。このため、ポータルサーバ１２は、ユーザＣにてコンテンツＴの録画または録画予約が行われると、端末１３ａと通信を確立し、コンテンツＴの録画または録画予約がユーザＣにて行われたことをメールなどにて通知する（Ｐ５）。
【００４４】
そして、ユーザＡは、ポータルサーバ１２から通知されたコンテンツＴについて録画の必要性が有ると判断すると、そのコンテンツＴについての録画または録画予約を行うように端末１３ａを介してポータルサーバ１２に指示する（Ｐ６）。そして、ポータルサーバ１２は、そのコンテンツＴについての録画または録画予約を行うように端末１３ａから指示されると、ホームゲートウェイ３２ａを介して情報家電３１ａにアクセスし、そのコンテンツＴの録画または録画予約を行うように情報家電３１ａに命令する（Ｐ７）。
【００４５】
図３は、図１の情報記録システムにおける処理シーケンスを示す図である。
図３において、ポータルサーバ１２、端末１３ａ〜１３ｃ、情報家電３１ａ〜３１ｃおよびホームゲートウェイ３２ａ〜３２ｃにポータル表示処理が起動されると（Ｓ１）、端末１３ａ〜１３ｃは、録画予約要求やグループメンバへの録画通知要望などをポータルサーバ１２に通知する（Ｓ２）。そして、ポータルサーバ１２は、録画予約要求やグループメンバへの録画通知要望などを受信すると、グループメンバへの録画通知要望を設定してアクションルールとして保持するとともに、グループメンバの録画番組情報などを保持する（Ｓ３）。
【００４６】
そして、ポータルサーバ１２は、録画予約要求とともに番組指定情報をホームゲートウェイ３２ａ〜３２ｃに送ると、ホームゲートウェイ３２ａ〜３２ｃを介して情報家電３１ａ〜３１ｃに録画予約を行うように指示される（Ｓ４）。なお、番組指定情報には、放送局名、放送年月日、番組開始時刻、番組終了時刻、番組名、出演者名などを含めることができる。
そして、情報家電３１ａ〜３１ｃにて録画予約が行われると（Ｓ５）、録画予約応答や予約可否がホームゲートウェイ３２ａ〜３２ｃを介してポータルサーバ１２に伝えられる（Ｓ６）。そして、ポータルサーバ１２は、情報家電３１ａ〜３１ｃにて録画予約が行われたかどうかをチェックし、情報家電３１ａ〜３１ｃにて録画予約が行われなかった場合には、録画予約応答にて録画予約できなかった旨を端末１３ａ〜１３ｃに通知し（Ｓ８）、端末１３ａ〜１３ｃは録画予約できなかった旨をユーザＡ〜Ｃにそれぞれ通知する（Ｓ９）。
【００４７】
一方、情報家電３１ａ〜３１ｃにて録画予約が行われた場合には、録画予約応答にて録画予約できた旨を端末１３ａ〜１３ｃに通知し（Ｓ１０）、端末１３ａ〜１３ｃは録画予約できた旨をユーザＡ〜Ｃにそれぞれ通知する（Ｓ１１）。
そして、ポータルサーバ１２は、あるグループメンバについて情報家電３１ａ〜３１ｃにて録画予約が行われると、そのグループメンバにおけるメール通知要望や録画または録画予約の要望をチェックし（Ｓ１２）、他のグループメンバについて録画または録画予約を自動で行わせたり、あるグループメンバが録画または録画予約を行ったことを他のグループメンバにメール４０にて通知する（Ｓ１３）。
【図面の簡単な説明】
【００４８】
【図１】本発明の一実施形態に係る情報記録支援装置が適用される情報記録システムの概略構成を示すブロック図である。
【図２】図１の情報記録システムにおける処理の流れの一例を示すブロック図である。
【図３】図１の情報記録システムにおける処理シーケンスを示す図である。
【符号の説明】
【００４９】
１１ａ〜１１ｃ  映像録画・蓄積装置
１２  ポータルサーバ
１３ａ〜１３ｃ  端末
２１ａ〜２１ｃ  映像録画手段
２２ａ〜２２ｃ  制御信号受信・解釈手段
２３  録画命令手段
２４  録画必要有無確認手段
２５  ルール登録手段
２６  ルール処理手段
２７  録画履歴収集手段
２８  デバイス情報収集手段
３１ａ〜３１ｃ  情報家電
３２ａ〜３２ｃ  ホームゲートウェイ
４０  メール
【図１】
2008294854.tif 000003
【図２】
2008294854.tif 000004
【図３】
2008294854.tif 000005